(57)【要約】  連絡先の個人情報がネットワークベースの電話帳内で公開されることから保護するための機構を提供する電話帳システム１０２および関連する方法が開示される。典型的なネットワークベースの電話帳サービスは、加入者がネットワークベースの電話帳をセットアップすることを可能にし、各電話帳は１つまたは複数の連絡先と関連する連絡先情報とを含む。連絡先に関する連絡先情報が加入者用のネットワークベースの電話帳内に含まれる前に、電話帳システム１０２は連絡先に関するプライバシ基準を識別する。プライバシ基準は連絡先によって事前に定められること、サービスプロバイダによって事前に定められること、または別のエンティティによって事前に定められることが可能である。電話帳システムは、次いで、ネットワークベースの電話帳内に含まれることが許可される、連絡先に関する連絡先情報を識別するために、プライバシ基準を処理する。処理システムは、次いで、許可された連絡先情報をネットワークベースの電話帳内に含めて、許可されない連絡先情報がネットワークベースの電話帳内に含まれることを阻止することが可能である。
2009530910.tif 000002
【特許請求の範囲】
【請求項１】
少なくとも１つの連絡先を含む、加入者（１１０）用のネットワークベースの電話帳を記憶するように構成された電話帳データベース（１０６）と、
電話帳データベース内に記憶されたネットワークベースの電話帳にアクセスするように構成された処理システム（１０４）と
を含む、ネットワークベースの電話帳を提供するための電話帳システム（１０２）であって、
処理システム（１０４）が、ネットワークベースの電話帳内の少なくとも１つの連絡先に関するプライバシ基準を識別するように構成されており、
処理システムが、加入者用のネットワークベースの電話帳内に含まれることが許可された少なくとも１つの連絡先に関する連絡先情報を識別するためにプライバシ基準を処理するように構成されており、
処理システムが、許可された連絡先情報を加入者用のネットワークベースの電話帳内に含めるように構成されており、
処理システムが、許可されない連絡先情報が加入者用のネットワークベースの電話帳内に含まれることを阻止するように構成されている
ことを特徴とする、電話帳システム（１０２）。
【請求項２】
少なくとも１つの連絡先に関するプライバシ基準が、特定の連絡先情報に関して許可されない加入者のブラックリストを含み、および／または特定の連絡先情報に関して許可される加入者のホワイトリストを含む、請求項１に記載の電話帳システム（１０２）。
【請求項３】
少なくとも１つの連絡先に関するプライバシ基準が、特定の連絡先情報がネットワークベースの電話帳内に含まれることが許可されない期間を含み、および／または特定の連絡先情報がネットワークベースの電話帳内に含まれることが許可される期間を含む、請求項１に記載の電話帳システム（１０２）。
【請求項４】
少なくとも１つの連絡先に関するプライバシ基準が、ネットワークベースの電話帳内に含まれることが許可されない少なくとも１つの位置を含む、請求項１に記載の電話帳システム（１０２）。
【請求項５】
少なくとも１つの連絡先に関するプライバシ基準が、ネットワークベースの電話帳内に含まれることが許可されない少なくとも１つの連絡先の存在および／または状態情報を含む、請求項１に記載の電話帳システム（１０２）。
【請求項６】
加入者用のネットワークベースの電話帳を提供するための方法であって、加入者用のネットワークベースの電話帳を記憶することを含み、ネットワークベースの電話帳が少なくとも１つの連絡先を含む方法であって、
ネットワークベースの電話帳内の少なくとも１つの連絡先に関するプライバシ基準を識別するステップと、
加入者用のネットワークベースの電話帳内に含まれることが許可される少なくとも１つの連絡先に関する連絡先情報を識別するためにプライバシ基準を処理するステップと、
許可された連絡先情報を加入者用のネットワークベースの電話帳内に含めるステップと、
許可されない連絡先情報が加入者用のネットワークベースの電話帳内に含まれることを阻止するステップと
を特徴とする、方法。
【請求項７】
少なくとも１つの連絡先に関するプライバシ基準が、特定の連絡先情報に関して許可されない加入者のブラックリストを含み、および／または特定の連絡先情報に関して許可される加入者のホワイトリストを含む、請求項６に記載の方法。
【請求項８】
少なくとも１つの連絡先に関するプライバシ基準が、特定の連絡先情報がネットワークベースの電話帳内に含まれることが許可されない期間を含み、および／または特定の連絡先情報がネットワークベースの電話帳内に含まれることが許可される期間を含む、請求項６に記載の方法。
【請求項９】
少なくとも１つの連絡先に関するプライバシ基準が、ネットワークベースの電話帳内に含まれることが許可されない少なくとも１つの位置を含む、請求項６に記載の方法。
【請求項１０】
少なくとも１つの連絡先に関するプライバシ基準が、ネットワークベースの電話帳内に含まれることが許可されない少なくとも１つの連絡先の存在および／または状態情報を含む、請求項６に記載の方法。
【発明の詳細な説明】
【技術分野】
【０００１】
本発明は、通信ネットワークの分野に関し、より詳細には、ネットワークベースの電話帳内に含まれる情報にプライバシ保護を提供することに関する。
【背景技術】
【０００２】
人々は、互いに通信するために複数の異なるアクセス装置およびアクセスサービスを使用する。例えば、個人は電話をかけるための移動体電話、電子メール能力を有する移動体電話またはＰＣ、インスタントメッセージ（ＩＭ）能力を有する移動体電話またはＰＣなどを有する場合がある。これらのアクセス装置／アプリケーションの各々は、通常、いくつかのタイプの連絡先（ｃｏｎｔａｃｔ）リスト、アドレス帳、電話帳などのための機能を有する。移動体電話は、通常、個人によって管理および維持される電話帳を有する。ＰＣ上の電子メールアプリケーションは、通常、個人によってＰＣ上で管理および維持される連絡先リストを有する。ＰＣ上または移動体電話上のＩＭアプリケーションは、通常、個人によって管理および維持される友達リストを有する。残念ながら、個人は、１つまたは複数のアクセス装置上でこれらの個別のリストを管理および維持しなければならない。
【０００３】
一部のサービスプロバイダは、個人が自分の連絡先リスト、友達リスト、アドレス帳などをネットワーク内に記憶された集中型電話帳（ｃｅｎｔｒａｌｉｚｅｄ  ｐｈｏｎｅｂｏｏｋ）内に記憶することを可能にするネットワークベースの電話帳サービスを提供している。ネットワークベースの電話帳の複写は、次いで、個人のアクセス装置（移動体電話、ＰＣ、など）にダウンロードされ得る。変更または追加がアクセス装置上の電話帳に対して行われる場合、ネットワーク上の電話帳のマスタコピーは自動的に更新される。ネットワークベースの電話帳は、ほとんどいかなるアクセス装置からもアクセス可能であり更新可能である、単一の、同期化された電話帳を可能にする。また、移動体電話が失われた場合またはＰＣが破損した場合、ネットワークベースの電話帳はネットワーク内で無事であることになる。
【０００４】
ネットワークベースの電話帳をセットアップする場合、個人は１つまたは複数の連絡先と（１つまたは複数の）連絡先に関連する情報とを入力することが可能である。連絡先情報は、連絡先に関する１つまたは複数の電話番号、連絡先に関する電子メールアドレス、郵送先住所などを含み得る。一部のネットワークベースの電話帳サービスでは、ネットワークはまた、ネットワークが利用可能なある種の連絡先情報を識別し、その連絡先情報をネットワークベースの電話帳内に含める。ネットワークは、連絡先の移動体装置が無線ネットワークに登録されているかどうか、連絡先が自分の電子メールにログインされているかどうか、連絡先がＩＭのためにサインオンしているかどうかなど、ネットワーク上の連絡先の存在および／または状態を識別することが可能である。ネットワークは、移動体装置を使用して連絡先の位置を識別して、連絡先の位置をネットワークベースの電話帳内に含めることが可能である。
【発明の開示】
【発明が解決しようとする課題】
【０００５】
現在のネットワークベースの電話帳サービスに伴う１つの問題は、電話帳内に含まれる連絡先情報のいくつかは、連絡先によって個人的と見なされる場合があることである。例えば、１つの連絡先は、閲覧のために、自分の位置が加入者用のネットワークベースの電話帳内で公開されることを望まない可能性がある。もう１つの連絡先は、ネットワークベースの電話帳が、勤務時間の間、移動体電話を介して自分が求めに応じられることを表示することを望まない可能性がある。連絡先は、現在、ネットワークベースの電話帳内で何の情報が公開されるかを制御しない。
【課題を解決するための手段】
【０００６】
本発明は、連絡先の個人情報がネットワークベースの電話帳内に含まれることから保護するための機構を提供することによって、上のおよびその他の問題を解決する。連絡先は、ネットワークベースの電話帳内に含まれる連絡先情報にフィルタリングする（ｆｉｌｔｅｒ）ために使用されるプライバシ基準を定めることが可能である。連絡先情報にフィルタリングすることによって、連絡先の個人情報はネットワークベースの電話帳内に含まれることを有利に阻止され得る。そのような保護は従来は行われていなかった。
【０００７】
本発明の１つの実施形態は、ネットワークベースの電話帳サービスを加入者に提供する電話帳システムである。ネットワークベースの電話帳サービスは、加入者がネットワークベースの電話帳をセットアップすることを可能にし、各電話帳は１つまたは複数の連絡先と関連する連絡先情報とを含む。ネットワークベースの電話帳は、電話帳システムの電話帳データベース内に含まれる。連絡先に関する連絡先情報が加入者用のネットワークベースの電話帳内に含まれる前に、電話帳システムの処理システムは、電話帳内に列挙された連絡先に関するプライバシ基準を識別する。プライバシ基準は、連絡先によって事前に定められること、サービスプロバイダによって事前に定められること、または別のエンティティによって事前に定められることが可能である。処理システムは、次いで、加入者用のネットワークベースの電話帳内に含まれることが許可される連絡先に関する連絡先情報を識別するためにプライバシ基準を処理する。処理システムは、次いで、許可された連絡先情報を加入者用のネットワークベースの電話帳内に含めることが可能である。処理システムは、許可されていない連絡先情報が加入者用のネットワークベースの電話帳内に含まれることを阻止することも可能である。
【０００８】
本発明は下に説明されるその他の例示的な実施形態を含み得る。
【０００９】
同じ参照番号はすべての図面上で同じ要素を表す。
【発明を実施するための最良の形態】
【００１０】
図１−図４および以下の説明は、本発明をどのように行い、どのように使用するかを当業者に教示するために本発明の特定の例示的な実施形態を示す。本発明の原理を教示する目的で、本発明のいくつかの通常の態様は簡素化または省略されている。当業者は、これらの実施形態から、本発明の範囲に該当する改変形態を理解されよう。当業者は、下で説明される特徴機能は、本発明の様々な改変形態を形成するために様々な方法で組み合わされ得る点を理解されよう。結果として、本発明は下で説明される特定の実施形態に限定されず、特許請求の範囲およびそれらの均等物によってのみ限定される。
【００１１】
図１は、本発明の例示的な実施形態の通信ネットワーク１００を例示する。通信ネットワーク１００は、無線ネットワーク、有線ネットワーク、ＩＭＳネットアーク、またはネットワークの組合せを含み得る。通信ネットワーク１００は、電話帳システム１０２を介して、サービスの加入者１１０にネットワークベースの電話帳サービスを提供するように構成される。ネットワークベースの電話帳サービスは、通信ネットワーク１００内に記憶および維持される集中型電話帳を加入者１１０に提供する。加入者１１０は、複数のアクセス装置を介して、ネットワークベースの電話帳にアクセスすることが可能である。図１では、加入者１１０は、移動体装置１１２とＰＣ１２２とを介して、ネットワークベースの電話帳にアクセスすることが可能であるとして例示される。移動体装置１１２は、基地局１１４と、移動体スイッチングセンター（ＭＳＣ）１１６と、トランスポートネットワーク１１８とを介して、話帳システム１０２と通信する。ＰＣ１２２は、インターネットサービスプロバイダ（ＩＳＰ）１２４とトランスポートネットワーク１１８とを介して電話帳システム１０２と通信する。
【００１２】
電話帳システム１０２は、処理システム１０４と、電話帳データベース１０６とを含む。処理システム１０４は、電話帳サービスの加入者用のネットワークベースの電話帳をセットアップ、管理、維持するように、または、そうでない場合は、処理するように構成された任意のコンピュータ、集積回路、または論理回路を含む。処理システム１０４は、単一の処理装置またはインタオペレーショナル処理装置（ｉｎｔｅｒ−ｏｐｅｒａｔｉｏｎａｌ  ｐｒｏｃｅｓｓｉｎｇ  ｄｅｖｉｃｅ）のグループを指す。処理システム１０４の動作は、処理システム１０４によって実行可能な命令によって制御され得る。命令のいくつかの例は、ソフトウェア、プログラムコード、およびファームウェアである。電話帳データベース１０６は、電話帳サービスの加入者用のネットワークベースの電話帳を記憶するように構成された任意の（１つまたは複数の）システムまたは任意の（１つまたは複数の）サーバを含む。処理システム１０４と電話帳データベース１０６とは、同じネットワークノード内に含まれることが可能であり、または複数のネットワークノード間で分散されることも可能である。
【００１３】
電話帳データベースによって記憶されたネットワークベースの電話帳は各々、１つまたは複数の連絡先および関連する連絡先情報を含む。本明細書の特徴機能および態様によれば、電話帳システム１０２は、連絡先の個人的な連絡先情報がネットワークベースの電話帳内で公開されるまたは含まれることから保護するために、先行システムと異なって動作する。加入者１１０が電話帳システム１０２を介してネットワークベースの電話帳に加入した例を想定する。図２は、本発明の例示的な実施形態の電話帳システム１０２を動作する方法を例示する流れ図である。方法２００のステップは、図１を参照して説明される。図２の流れ図のステップは、すべて包括的であるとは限らず、図示されないその他のステップを含み得る。
【００１４】
個人的な連絡先情報を公開することから保護するために、処理システム１０４は、ステップ２０２で、ネットワークベースの電話帳内の連絡先に関するプライバシ基準を識別する。プライバシ基準は、何の連絡先情報がネットワークベースの電話帳内に含まれることが許可されるかを判断するために使用される任意の情報または任意のデータを含む。プライバシ基準は、連絡先によって、ネットワークベースの電話帳サービスを提供するサービスプロバイダによって、または別のエンティティによって定められることが可能である。サービスプロバイダは、連絡先がＰＣもしくはその他のウェブ動作可能にされた装置を介してプライバシ基準を定めることを可能にするためにウェブサイトを提供することが可能であり、または連絡先が移動体装置もしくはその他の装置を介してプライバシ基準を定めることを可能にするもう１つの機構を提供することも可能である。サービスプロバイダは、連絡先が要求どおりに変更することができる省略時プライバシ基準を定めることも可能である。
【００１５】
ステップ２０４で、処理システム１０４は、ネットワークベースの電話帳内に含まれることが許可される連絡先に関する連絡先情報を識別するためにプライバシ基準を処理する。プライバシ基準に従って、ある種の連絡先情報が許可される場合、処理システム１０４は、ステップ２０６で、許可された連絡先情報をネットワークベースの電話帳内に含める。プライバシ基準に従って、ある種の連絡先情報が許可されない場合、処理システム１０４は、ステップ２０８で、許可されない連絡先情報がネットワークベースの電話帳内に含まれることを阻止する。連絡先情報がネットワークベースの電話帳内に含まれる前にプライバシ基準に基づいて連絡先情報をフィルタリングすることによって、連絡先の個人情報は該ネットワークベースの電話帳および／またはその他のネットワークベースの電話帳から除外され得る。方法２００は、ネットワークベースの電話帳内の１つまたは複数の連絡先に関して実行され得る。
【００１６】
方法２００は、異なるトリガによって起動され得る。例えば、連絡先が彼らのプライバシ基準を変更する場合、処理システム１０４は、その連絡先が含まれるネットワークベースの電話帳を識別して、新しいプライバシ基準に基づいて、どの連絡先情報が許可されるか、どの連絡先情報が許可されないかを判断するために方法２００を実行することが可能である。もう１つのトリガは、電話帳システム１０２が連絡先に関する新しい連絡先情報を識別した場合、または連絡先に関する連絡情報への変更を識別した場合であり得る。新しいかまたは変更された連絡先情報に応答して、処理システム１０４は、新しいかまたは変更された連絡先情報が１つまたは複数のネットワークベースの電話帳内に含まれるべきかどうかを判断するために方法２００を実行する。もう１つのトリガは、加入者１１０がネットワークベースの電話帳内に連絡先に関する新しい連絡先情報を入力しようと試みることであり得る。もう１つのトリガは、連絡先の時間基準に基づく時間変化であり得る。方法２００がネットワークベースの電話帳内の連絡先に関する個人情報の保護を提供するための多くのその他のトリガが存在し得る。
【００１７】
図３は、本発明の例示的な実施形態の電話帳データベース１０６内に記憶されたネットワークベースの電話帳３００を例示する。電話帳データベース１０６は、多くの加入者のために、電話帳３００など、多くの電話帳を記憶することが可能である。この実施形態では、電話帳３００は、複数の記述項３０２を含む。各記述項は、連絡先と連絡先に関連する情報とを識別する。連絡先は、名前、ニックネーム、ユーザ名などによって識別され得る。連絡先情報は、電話帳３００内に含まれることが所望される任意の情報を含み得る。例として、連絡先情報は、連絡先の１つまたは複数のディレクトリ番号、連絡先の電子メールアドレス、連絡先の郵送先住所を含み得る。連絡先情報は、通信ネットワーク１００上の連絡先の存在も含み得る。存在は、音声（地上線電話、移動体電話など）、ビデオ、電子メール、ショートメッセージサービス（ＳＭＳまたはマルチメディアメッセージサービス（ＭＭＳ））、インスタントメッセージ（ＩＭ）、テキストメッセージ、音声メールボックス（ＶＭＢ）など、（通信能力とも呼ばれる）連絡先が通信し得る手段を表示する。連絡先情報は、通信ネットワーク１００上の連絡先の状態の表示も含み得る。例えば、状態は、連絡先が電子メールにログオンされ、自分の移動体装置が登録されていることを表示することが可能である。連絡先情報は、地理的位置（例えば、緯度／経度または住所）、ネットワーク位置、または連絡先のもう１つの位置など、連絡先の位置も含み得る。連絡先情報は、笑う、泣く、怒る、戸惑う、困惑する、悲しい、落胆するなど、気分の表示も含み得る。連絡先は、電話帳の加入者に気分基準を提供することが可能である。連絡先情報は、連絡先がネットワーク内に残す、加入者がネットワーク電話帳から取り出すことができる注記を含めることも可能である。連絡先からの注記の例は、「私はイタリアで休暇を過ごしています」であり得る。
【００１８】
電話帳データベース１０６内に記憶されたネットワークベースの電話帳３００は、アクセス装置（図１−図２を参照）を介して加入者１１０がアクセス可能である。移動体装置１１２およびＰＣ１２２は各々、電話帳データベース１０６内に記憶されたネットワークベースの電話帳３００にアクセスするアプリケーション１１３および１２３をそれぞれ含む。アプリケーション１１３が移動体装置１１２内で起動された場合、アプリケーション１１３は、ネットワークベースの電話帳３００に対する更新の要求を電話帳システム１０２に送信する。要求は、加入者１１０用の標識、または移動体装置１１２用の標識を含み得る。要求に応答して、処理システム１０４は、電話帳データベース１０６内の加入者１１０用のネットワークベースの電話帳３００の位置を突き止める。処理システム１０４は、ネットワークベースの電話帳３００を複写して、ネットワークベースの電話帳３００の複写を移動体装置１１２に送信する。アプリケーション１１３は、これにより、ネットワークベースの電話帳３００の最新のバージョンを用いて更新される。アプリケーション１１３は、通信ネットワーク１００に再登録するために移動体装置１１２によって通常使用される登録要求を介してなど、電話帳システム１０２から更新を周期的に要求する。ＰＣ１２２内のアプリケーション１２３は、加入者１１０による閲覧の目的でネットワークベースの電話帳３００の複写を取得するために実質的に類似の動作をする。
【００１９】
図４は、例示的な実施形態のネットワークベースの電話帳３００を表示する移動体装置１１２を例示する。この実施形態では、移動体装置は、ディスプレイ４０２と、ボタン、ポインティング装置などの制御４０４とを含む。アプリケーション１１３がネットワークベースの電話帳３００の複写を受信する場合、アプリケーション１１３は、連絡先１−４と彼らの関連する連絡先情報とをディスプレイ４０２上に表示するために情報を処理する。この実施形態では、４人の連絡先が例示されるが、その他の実施形態では、より多くのまたはより少ない連絡先が含まれてよい。連絡先１−４に関する連絡先情報は、存在情報、状態情報、および位置情報を含む。各連絡先に関する実際の連絡先情報は、各連絡先によって定められるプライバシ基準に依存する。
【００２０】
例えば、連絡先１は、連絡先１の隣のアイコンによって例示されるように、音声、ビデオ、電子メール、ＩＭ、およびテキストの存在を含む。連絡先１に関する状態情報も、連絡先１の適切な存在アイコンの周りの枠によって例示される。音声アイコンの周りの枠は、連絡先１の移動体装置（または、その他の電話）が通信ネットワーク１００に登録されていることを意味する。電子メールアイコンの周りの枠は、連絡先１が、現在、自分の電子メールサーバにログインされていることを意味する。テキストアイコンの周りの枠は、連絡先１がテキストメッセージを受信することが可能であることを意味する。ビデオアイコンの周りに箱がないことは、連絡先１が自分のビデオカメラをアクティブにしていないことを意味する。ＩＭの周りに箱がないことは、連絡先１がＩＭサービスにログインしていないことを意味する。類似の存在および状態情報が連絡先２−４に関して含まれる。
【００２１】
移動体装置１１２を動作する加入者１１０が、連絡先１など、連絡先のうちの１つを選択する場合、連絡先１により多くの連絡先情報が提供され得る。例えば、移動体装置１１２内のアプリケーション１１３は、連絡先１の地理的位置を示すために地図上でなど、連絡先１に関する位置情報を表示することが可能である。
【００２２】
図３−図４に例示されるネットワークベースの電話帳３００内の連絡先情報は、加入者１１０によって提供され得る。例えば、加入者１１０は、移動体装置１１２もしくはＰＣ１２２を介して、新しい記述項をネットワークベースの電話帳３００内に追加することが可能であり、または既存の記述項を編集することが可能である。加入者１１０による追加または編集に応答して、アプリケーション１１３または１２３は電話帳システム１０２に更新を送信する。更新が連絡先に関するプライバシ基準によって許可されている場合、電話帳システム１０２は、次いで、更新に基づいて、加入者１１０用のネットワークベースの電話帳３００を修正する。
【００２３】
電話帳移システム１０２は、ネットワークベースの電話帳３００内に連絡先情報のうちのいくつかを提供することも可能である。例えば、電話帳システム１０２は、ネットワークユーザに関する位置情報を有するネットワークノード（図示せず）に問い合わせることによってなど、連絡先に関する位置を識別することが可能であり得る。電話帳システム１０２はまた、連絡先の移動体装置が現在登録されているかどうかを判断するために加入者データベース（図示せず）に問い合わせることによって、または連絡先が現在、自分の電子メールもしくはＩＭサービスにログオンしているかどうかを判断するために電子メールサーバに問い合わせることによってなど、通信ネットワーク１００上の連絡先の状態を提供することも可能であり得る。
【００２４】
現在の最新技術によれば、電話帳システム１０２は、ネットワークベースの電話帳３００内の連絡先に関する連絡先情報のすべてを含む。連絡先情報が加入者１１０によって提供される場合、電話帳システム１０２は、加入者１１０用のネットワークベースの電話帳３００内に連絡先情報を含める。連絡先情報（例えば、位置情報または状態情報）が電話帳システム１０２によって提供される場合、電話帳システム１０２は、ネットワークベースの電話帳３００内に連絡先情報を含める。本明細書の特徴機能および態様によれば、電話帳システム１０２は、許可されない（個人的な）連絡先情報がネットワークベースの電話帳内に含まれないように、ネットワークベースの電話帳３００内に連絡先情報を含める前にプライバシ基準を処理する。
【００２５】
連絡先がある種の連絡先情報を阻止するためにプライバシ基準を定めるアクティブな措置を取る場合を除いて、連絡先の連絡先情報はネットワークベースの電話帳内に含まれ得る。あるいは、サービスプロバイダは、サービスプロバイダまたは社会が個人的であると見なす可能性がある情報を保護するために、省略時プライバシ基準を定めることが可能である。その場合、連絡先は、ある種の連絡先情報を許可するためまたはその他の連絡先情報を阻止するために省略時プライバシ基準を変更するアクティブな措置を取らなければならない可能性がある。例えば、連絡先の位置は個人的であると見なされる可能性があり、連絡先は、彼らの位置がネットワークベースの電話帳内に含まれることを可能にするために、省略時プライバシ基準を変更しなければならなくなる。
【００２６】
上で説明されたように、プライバシ基準は多くの形態を呈する可能性がある。一例では、プライバシ基準は加入者基準を含み得る。加入者基準は、どの連絡先情報がネットワークベースの電話帳内に含まれるかをフィルタリングするために使用されるネットワークベースの電話帳を有する加入者に関する任意のデータを含む。加入者は、ディレクトリ番号、名前、ＳＩＰ  ＵＲＩまたはその他のネットワークアドレスなどによって識別され得る。加入者基準を介して、連絡先は彼らのネットワークベースの電話帳内にどの加入者が特定の連絡先情報を含めることが許可されるかを定めることが可能である。例えば、連絡先は彼らのネットワークベースの電話帳内に連絡先の連絡先情報を含めることが許可されない加入者のブラックリストを定めることが可能である。同様に、連絡先は、彼らのネットワークベースの電話帳内に連絡先の連絡先情報を含めることが許可される加入者のホワイトリストを定めることが可能である。
【００２７】
もう１つの例では、プライバシ基準は時間基準を含み得る。時間基準は、どの連絡先情報がネットワークベースの電話帳内に含まれるかをフィルタリングするために使用される期間に関する任意のデータを含む。時間基準を介して、連絡先は特定の連絡先情報がネットワークベースの電話帳内に含まれる特定の期間または当該電話帳に含まれることが阻止される特定の期間を定めることが可能である。期間は開始時間（例えば、月／日、時間、分、など）と終了時間とによって定められ得る。連絡先は、連絡先情報がネットワークベースの電話帳内に含まれることが許可されない１つまたは複数の期間を定めることが可能である。例えば、連絡先は、彼らの連絡先情報が、夜間期間の間、ネットワークベースの電話帳内に含まれないことを定めることが可能である。連絡先は、連絡先情報がネットワークベースの電話帳内に含まれることが許可される１つまたは複数の期間を追加でまたは代替として定めることが可能である。例えば、連絡先は、彼らの連絡先情報が平日期間または昼間の間、ネットワークベースの電話帳内に含まれることを許可することを定めることが可能である。
【００２８】
もう１つの例では、プライバシ基準は位置基準を含み得る。位置基準は、どの連絡先情報がネットワークベースの電話帳内に含まれるかをフィルタリングするために使用する連絡先の位置に関する任意のデータを含む。連絡先の位置は、地理的位置、ネットワーク位置、または連絡先のもう１つの位置であり得る。連絡先は、ネットワークベースの電話帳内に含まれることが許可されない位置のブラックリストを定めることが可能である。同様に、連絡先は、ネットワークベースの電話帳内に含まれることが許可される連絡先の位置のホワイトリストを定めることが可能である。
【００２９】
もう１つの例では、プライバシ基準は通信基準を含み得る。通信基準は、どの連絡先情報がネットワークベースの電話帳内に含まれるかをフィルタリングするために使用される連絡先の存在および／または状態に関する任意のデータを含む。通信基準を介して、連絡先は連絡先のどの存在および／または状態情報がネットワークベースの電話帳内に含まれることが許可されるかを定めることが可能である。同様に、連絡先は、ネットワークベースの電話帳内に含まれることが許可されない特定の存在および／または状態情報を定めることが可能である。
【００３０】
上述の基準は、連絡先の所望されるプライバシ基準を形成するために連絡先によって組み合わされることが可能である。例として、連絡先は何の連絡先情報（例えば、存在、状態、および位置）が彼らの上司のネットワークベースの電話帳内に含まれるかを定めることを望む可能性がある。連絡先は、上司の電話帳が、平日期間の間、連絡先は会社の電話、会社の電子メール、および移動体電話を介して求めに応じられることを表示するようにプライバシ基準を定めることが可能である。連絡先は、連絡先の位置が、平日期間の間、上司の電話帳内に含まれることが許可されることをさらに定めることが可能である。連絡先は、上司の電話帳が、平日期間の後、連絡先は求めに応じられないこと、会社の電子メールを介してだけ求めに応じられること、または別の手段を通じてだけ求めに応じられることを表示するようにプライバシ基準を定めることがさらに可能である。連絡先は、連絡先の位置が、平日の後、上司の電話帳内に含まれることが許可されないことをさらに定めることが可能である。
【００３１】
同様に、連絡先は、何の連絡先情報が彼らの友人のネットワークベースの電話帳内に含まれるかを定めることを望む可能性がある。連絡先は、友人の電話帳が、平日期間の間、連絡先はテキストメッセージングを介して求めに応じられることだけを表示するようにプライバシ基準を定めることが可能である。連絡先は、連絡先の位置が、平日の間、友人の電話帳内に含まれることが許可されないことをさらに定めることが可能である。連絡先は、友人の電話帳が、平日期間の後、連絡先は移動体電話、家の電話、個人的な電子メール、ＩＭ、およびテキストメッセージングを介して求めに応じられることを表示するようにプライバシ基準をさらに定めることが可能である。連絡先は、連絡先の位置が、平日の後、友人の電話帳内に含まれることが許可されることをさらに定めることが可能である。
【００３２】
特定の実施形態が本明細書で説明されたが、本発明の範囲は、これらの特定の実施形態に限定されない。本発明の範囲は、特許請求の範囲およびそのいずれの均等物によって定められる。
【図面の簡単な説明】
【００３３】
【図１】本発明の例示的な実施形態の通信ネットワークを例示する図である。
【図２】本発明の例示的な実施形態の電話帳システムを動作する方法を例示する流れ図である。
【図３】本発明の例示的な実施形態の電話帳データベース内に記憶されたネットワークベースの電話帳を例示する図である。
【図４】例示的な実施形態の移動体装置内のアプリケーションによって提供されるネットワークベースの電話帳を例示する図である。
【図１】
2009530910.tif 000003
【図２】
2009530910.tif 000004
【図３】
2009530910.tif 000005
【図４】
2009530910.tif 000006
【国際調査報告】
2009530910.tif 000007
2009530910.tif 000008
2009530910.tif 000009